(57)【要約】使用者の口の付近の位置におよびその位置から調整でき、プレート（９）に構成された撓みやすい摩擦結合に結合されている摩擦部分（６）によってハウジング（７）に取付けられた調整可能マイクロホンブームを有するヘッドセットであり、協働するプレート（２０，２１）がプレートから打抜かれ、撓みやすいアーム（２１，２７，２８，３２）によってプレート（９）に接続される。摩擦部分（６）は、部分的にハウジング（７）内部（８）に、部分的にプレート（９）に構成された凹所によって規定された軸受に収容できる軸（５）を有する。摩擦結合したマイクロホンブーム（１）、ハウジング（７）およびプレート（９）は固定リング（１１）によってともに保持される。このようにして、時間が経っても緩まない安定した、調整可能なマイクロホンブームが提供され、どの位置にあってもかつどんなに頻繁に位置を変えたとしても、マイクロホンブームは依然として、摩擦結合において十分な力で固定されると理解される。
2004522345.tif 000002
【特許請求の範囲】
【請求項１】
調整可能マイクロホンブーム（１）を有するヘッドセットであって、ブームはハウジング（７）に設けられた軸受に取付けられ、前記マイクロホンブームは、撓みやすい配置で吊るされているマイクロホンブームに構成された摩擦部分（６）によって前記ハウジング（７）に吊るされていることを特徴とする、調整可能マイクロホンブームを有するヘッドセット。
【請求項２】
前記撓みやすい配置は、前記ハウジング（７）に配置されたプレート（９）に構成された摩擦結合であることを特徴とする、請求項１に記載のヘッドセット。
【請求項３】
前記摩擦部分（６）は、前記ハウジング（７）内部に構成された凹所において前記マイクロホンブーム（１）を固定するように配置された横軸（５）を有することを特徴とする、請求項１から２に記載のヘッドセット。
【請求項４】
前記ハウジング（７）の内側（８）に面する側で、前記プレート（９）はさらなる凹所で構成され、さらなる凹所は、前記ハウジング（７）内部の凹所とともに、前記軸（５）を完全に囲むことを特徴とする、請求項１から３に記載のヘッドセット。
【請求項５】
摩擦結合（２０，２１）は前記プレート（９）から打抜かれた部分として構成されることを特徴とする、請求項２から４に記載のヘッドセット。
【請求項６】
前記打抜かれた部分は、２つのプレート（２０）からなり、２つのプレートは２つの表面の間で前記摩擦部分（６）を収容するように配置されていることを特徴とする、請求項５に記載のヘッドセット。
【請求項７】
前記摩擦部分（６）の幅は、前記摩擦部分が前記プレート（２０）の間に導入されていないときに、前記プレート（２０）間の距離よりも広いことを特徴とする、請求項６に記載のヘッドセット。
【請求項８】
前記２つのプレート（２０）は、プレートのうち前記摩擦部分（６）から離れて面する側を撓みやすいアーム（２１，２７，２８，３２）に接続することによって吊るされることを特徴とする、請求項６または７に記載のヘッドセット。
【請求項９】
前記摩擦部分は、前記摩擦部分（６）の側面端（６ａ，６ｂ）によって規定された角度で曲がるように配置されることを特徴とし、その第１の外部の位置において、前記摩擦部分は前記ハウジング（７）の内部表面にもたれ、第２の位置において、それは切抜き（２３）の境界の部分を構成する端部（２９）にもたれる、請求項１から８に記載のヘッドセット。
【請求項１０】
前記ハウジング（７）内部は、円盤状表面（１４）であり、そこから凹所（１５）を有する壁（３０）が延在することを特徴とする、請求項１から８に記載のヘッドセット。
【請求項１１】
前記マイクロホンブーム（１）、前記ハウジング（７）および前記プレート（９）は固定リング（１１）で互いに結合されることを特徴とする、請求項９に記載のヘッドセット。
【発明の詳細な説明】
【技術分野】
【０００１】
この発明は、調整可能マイクロホンブームを有するヘッドセットに関し、このブームは、ハウジングに設けられた軸受でハウジング内に吊るされる。
【背景技術】
【０００２】
このようなヘッドセットは、たとえば受付の職員の間で、また電話販売に従事する職員によりますます普及している。
【０００３】
今日、現代式のヘッドセットは、使用者が、ヘッドセットの重さまたは頭のまわりの締付け等による不快という形で生じるいかなる不自由もない状態でそれを装着することができるように構成されている。
【０００４】
さらに、ヘッドセットがワイヤレスタイプのものである場合、使用者が頭からヘッドセットを取外す必要は滅多にない。
【０００５】
ヘッドセットが使用されていない期間に関して、たとえば使用者の食事の際に関して、マイクロホンブームを口のまわりの領域から取外すことができることが望ましい。
【０００６】
マイクロホンブームを使用者の口から取外す最も一般的な方法は、それを拡声器カプセルと平行に曲げることであり、これにより使用者の頬におよそ平行になる。しかしながら、マイクロホンブームを頬から離して、たとえば食事の際にそれが食物と接触する恐れがないようにすることが望ましいかもしれない。
【０００７】
米国特許第５，４６９，５０５号では、マイクロホンブームが使用者の頬から回転できるヘッドセットが開示されており、そこでは、ブームは互いに９０°ずれている２つのヒンジ継手で構成される。
【発明の開示】
【発明が解決しようとする課題】
【０００８】
このように頬へのおよび頬からの回転は、当然のことながら、ヘッドセットの寿命全体を通じて実施できなければならず、マイクロホンブームが緩くなった結果、いかなる固定した位置にも固定できないということがあってはならない。この要求は、マイクロホンブームがヘッドセットに結合される態様に対して大きな要求を課す。
【０００９】
これに鑑みて、この発明の目的は、ヘッドセットの寿命全体を通して、ヘッドセットのマイクロホンの安定した回転が可能であるヘッドセットを提供することである。
【課題を解決するための手段】
【００１０】
この発明の目的は、マイクロホンブームが、撓みやすい配置でハウジングに吊るされている軸受部分で構成されることを特徴とする、請求項１のプレアンブルに開示した種類のヘッドセットで達成される。
【００１１】
このようにして、マイクロホンブームのヘッドセットへの安定した結合が達成され、撓みやすく吊るすことによって、他の態様では、結合が緩くなり、恐らくマイクロホンブームを位置決めすることを不可能にするであろう装着を補償する。
【００１２】
請求項２で開示したように、撓みやすい配置は、ハウジングに配置したプレートに構成
される摩擦結合であることが好都合である。これはさらに、長期間使用した後でも、マイクロホンブームを動かしたときに撓みやすい配置に遊びが生じないことを保証する。
【００１３】
請求項３で開示したように、ヘッドセットの軸受をさらに安定化するためには、摩擦部分が、ハウジング内部に形成された凹所においてマイクロホンブームを固定するように配置された横軸を有していれば好都合である。請求項４で開示したように、プレートのうちハウジング内部に面した方の側において、さらなる凹所が形成され、これはハウジング内部の凹所とともに、軸を完全に囲む。
【００１４】
請求項５で開示したように、有利な製造技術上の理由で、摩擦結合はプレートの打抜き部分として構成されれば有利である。
【００１５】
請求項６で開示したように、マイクロホンブームの軸受部分と打抜き部分との間の良好なかつ耐久性のある接続を保証するには、打抜き部分が２つのプレートからなり、これらのプレートが２つの表面の間で摩擦部分を収容するように配置されていれば有利である。このようにして、把持部が摩擦部分のまわりで得られ、これは摩擦部分に対する２つのプレートからのばね効果により、長期間の使用後でも摩擦部分を固定するのに十分な力を維持する。
【００１６】
請求項１０で開示したように、マイクロホンブームの軸受部分を撓みやすい摩擦結合でハウジングへ簡単に結合するために、ハウジング内部が円盤状表面であり、そこから切抜きを有する壁が外部に延在していれば好都合である。請求項１１において、マイクロホンブーム、ハウジングおよびプレートは固定リングで結合される。
【００１７】
この発明のさらなる好都合な実施例を残りの従属クレームにおいて開示する。
【発明を実施するための最良の形態】
【００１８】
次に発明を図面に示した例示的な実施例を参照してより詳細に説明する。
図１では、マイクロホンブーム全体が参照番号１によって示されている。見てとれるように、その一方の端で、マイクロホンブームは、ブーム３の一方端に固定されたマイクロホン４からなり、ブーム３の他方端は旋回調整部品２に接続されている。調整部品２は、２つの対向表面６ａおよび６ｂを有する摩擦部分６で終わる。摩擦部分６は、調整部品２および摩擦部分６を通って延在する軸５によって調整部分２に旋回可能に接続されている。この軸５は調整部分２の両側を通って延在する。
【００１９】
図１はまた、以下でより詳細に説明するように、摩擦部分６を受けるように配置されたハウジング７および軸受１０を有するプレート９を示している。
【００２０】
最後に、図１はプレート９をハウジング７に固く保持するように配置された固定リング１１を示している。
【００２１】
図２では、ハウジングに挿入された摩擦部分６を有し、方向ＩＩ−ＩＩで見たハウジングが再び示されている。見てとれるように、軸５は摩擦部分６とともに、ハウジング内部の軸受シェルの形をした凹所（図２では、軸５で部分的に隠れている）に取付けられる。ハウジング７の内部では、円盤状凹所１４もまた設けられ、そこから切抜き１５を有する壁３０が外部に延在する。ハウジング７の内部にはまた、プレート９の凹所１７（図３を参照）と協働することになるラグ１６が設けられている。
【００２２】
図３では、この発明に従って撓みやすい摩擦結合を有するプレート９が示されている。プレート９の反対側で、軸受シェルの形をした凹所（図示せず）が形成され、それはハウジング７内部の軸受シェルとともに軸受１０を構成し、この軸受１０は、プレート９が挿入され表面１４に当接したときに軸５を囲む。
【００２３】
プレート９では、この発明に従って撓みやすい摩擦結合が構成される。この撓みやすい摩擦結合は２つのプレート２０からなり、これらのプレートは弾性アーム２１、２７、３１、３２ならびに固定部品２６および２８に接続されている。弾性アーム、プレート２０および固定部品２６、２８は、プレート９の材料を打抜くことによって構成されており、これはプレート２０の間の下方に狭くなる開口部２４によって示され、切抜き２２および２３で示されている。
【００２４】
図に示した部品は以下の態様で組立てられる。
摩擦部分６は、図１の右からハウジング７の内部に導入される。プレート２０の間の開口部２４よりも幅が僅かに広い摩擦部分６は、今度はプレート２０の間に押し込まれ、それによりアーム２１、２７、３１および３２のばね効果によって決定される力が摩擦部分６に与えられる。同時に、軸５はハウジング７の軸受シェルにおよび結合プレート９に取付けられ、上記軸受シェルはともに軸受１０を形成する。すべての部品をともに保持するために、固定リング１１がハウジング７内部に対して取付けられる。このようにして、マイクロホンブームを、図１および３にそれぞれ示したように、ハウジングの内部表面８に対する摩擦部分６の表面６ａおよび６ｂならびに摩擦結合の境界２９それぞれにより限定された距離によって規定される角度のついた領域内で動かすことができる。
【００２５】
さらに、マイクロホンブームを境界２９に向かって動かしたときに、これはマイクロホンブームを使用者の頬から離すのと同じことであるが、摩擦が増加する、というのも、上述のように、開口部２４の広さが下方にむかって狭くなるからである。
【図面の簡単な説明】
【００２６】
【図１】この発明に従って、取外された状態の、軸受部分を有するマイクロホンブームを側面から見た図である。
【図２】図１の線ＩＩ−ＩＩに沿った断面を示す図である。
【図３】この発明に従ったプレートの摩擦結合を示す図である。
【国際公開パンフレット】
2004522345.tif 000003
2004522345.tif 000004
2004522345.tif 000005
2004522345.tif 000006
2004522345.tif 000007
2004522345.tif 000008
2004522345.tif 000009
2004522345.tif 000010
2004522345.tif 000011
2004522345.tif 000012
2004522345.tif 000013
【手続補正書】
【提出日】平成15年9月9日(2003.9.9)
【手続補正１】
【補正対象書類名】特許請求の範囲
【補正対象項目名】全文
【補正方法】変更
【補正の内容】
【特許請求の範囲】
【請求項１】
使用者の頬へまたは使用者の頬から回転可能である、調整可能マイクロホンブーム（１）を有するヘッドセットであって、ブームは、ハウジング（７）に設けられた軸受に取り付けられ、前記マイクロホンブームは、前記マイクロホンブームに構成された摩擦部分（６）によって前記ハウジング（７）に吊るされており、前記摩擦部分は、摩擦結合からなる撓みやすい配置で吊るされることを特徴とする、調整可能マイクロホンブームを有するヘッドセット。
【請求項２】
前記摩擦結合は、前記ハウジング（７）に配置されたプレート（９）に構成されることを特徴とする、請求項１に記載のヘッドセット。
【請求項３】
前記摩擦部分（６）は、前記ハウジング（７）内部に構成された凹所において前記マイクロホンブーム（１）を固定するように配置された横軸（５）を有することを特徴とする、請求項１から２に記載のヘッドセット。
【請求項４】
前記ハウジング（７）の内側（８）に面する側で、前記プレート（９）はさらなる凹所で構成され、さらなる凹所は、前記ハウジング（７）内部の凹所とともに、前記軸（５）を完全に囲むことを特徴とする、請求項１から３に記載のヘッドセット。
【請求項５】
摩擦結合（２０，２１）は前記プレート（９）から打抜かれた部分として構成されることを特徴とする、請求項２から４に記載のヘッドセット。
【請求項６】
前記打抜かれた部分は、２つのプレート（２０）からなり、２つのプレートは２つの表面の間で前記摩擦部分（６）を収容するように配置されていることを特徴とする、請求項５に記載のヘッドセット。
【請求項７】
前記摩擦部分（６）の幅は、前記摩擦部分が前記プレート（２０）の間に導入されていないときに、前記プレート（２０）間の距離よりも広いことを特徴とする、請求項６に記載のヘッドセット。
【請求項８】
前記２つのプレート間の開口部は狭くなっていくことを特徴とする、請求項６または７に記載のヘッドセット。
【請求項９】
前記２つのプレート（２０）は、プレートのうち前記摩擦部分（６）から離れて面する側を撓みやすいアーム（２１，２７，２８，３２）に接続することによって吊るされることを特徴とする、請求項６から８に記載のヘッドセット。
【請求項１０】
前記摩擦部分は、前記摩擦部分（６）の側面端（６ａ，６ｂ）によって規定された角度で曲がるように配置されることを特徴とし、その第１の外部の位置において、前記摩擦部分は前記ハウジング（７）の内部表面にもたれ、第２の位置において、それは切抜き（２３）の境界の部分を構成する端部（２９）にもたれる、請求項１から９に記載のヘッドセット。
【請求項１１】
前記ハウジング（７）内部は、円盤状表面（１４）であり、そこから凹所（１５）を有する壁（３０）が延在することを特徴とする、請求項１から９に記載のヘッドセット。
【請求項１２】
前記マイクロホンブーム（１）、前記ハウジング（７）および前記プレート（９）は固定リング（１１）で互いに結合されることを特徴とする、請求項２から１１に記載のヘッドセット。
【手続補正２】
【補正対象書類名】明細書
【補正対象項目名】０００１
【補正方法】変更
【補正の内容】
【０００１】
この発明は、使用者の頬へまたは頬から回転可能な、調整可能マイクロホンブームを有するヘッドセットに関し、このブームは、ハウジングに設けられた軸受に取り付けられ、マイクロホンブームは、マイクロホンブームに構成された摩擦部分によってハウジングに吊るされている。


【手続補正３】
【補正対象書類名】明細書
【補正対象項目名】００１０
【補正方法】変更
【補正の内容】
【００１０】
この発明の目的は、摩擦部分が、摩擦結合からなる撓みやすい配置で吊るされていることを特徴とする、請求項１のプレアンブルに開示した種類のヘッドセットで達成される。


【手続補正４】
【補正対象書類名】明細書
【補正対象項目名】００１２
【補正方法】変更
【補正の内容】
【００１２】
請求項２で開示したように、摩擦結合は、ハウジングに配置したプレートに構成され
ることが好都合である。これはさらに、長期間使用した後でも、マイクロホンブームを動かしたときに撓みやすい配置に遊びが生じないことを保証する。




【国際調査報告】
2004522345.tif 000014
2004522345.tif 000015
2004522345.tif 000016